(57)【要約】【課題】円柱状の操作ツマミとロータリー型エンコーダの回転を同期させる軸の両先端に軸先端係合部を設けることで、操作ツマミの押圧操作力の差を無くし、また操作ツマミの左右幅を自由に設定可能とする。【解決手段】円柱状の操作ツマミとロータリー型エンコーダの回転を同期させる軸の両先端に回転自在に支持し、かつ規定範囲内で軸の軸心方向と交差する方向に移動自在に支持可能な係合部を設け、操作ツマミの左右幅の中央に押圧型スイッチを配置し、軸で回転自在に支持された操作ツマミを回転操作してロータリー型エンコーダを回転操作し、操作ツマミを押すポイントによる操作力の差がなく容易に操作ツマミを押圧操作してツマミ受けを介して押圧型スイッチの押圧操作を可能とし、また操作ツマミの左右幅を自由に設定可能とする。【選択図】図１
2005268157.tif 000002
【特許請求の範囲】
【請求項１】
円柱状の操作ツマミとロータリー型エンコーダの回転を同期させる軸の両先端に回転自在に支持し、かつ規定範囲内で軸の軸心方向と交差する方向に移動自在に支持可能な係合部を設け、操作ツマミの左右幅の中央に押圧型スイッチを配置し、軸で回転自在に支持された操作ツマミを回転操作してロータリー型エンコーダを回転操作し、操作ツマミを押すポイントによる操作力の差がなく容易に操作ツマミを押圧操作してツマミ受けを介して押圧型スイッチの押圧操作を可能にする自在スイッチ押し機構付きエンコーダ装置。
【請求項２】
操作ツマミの回転操作時、無意識に押圧型スイッチの押圧操作を行ってしまうことを防ぐため、ツマミ受けにサポートバネを取り付ける自在スイッチ押し機構付きエンコーダ装置。
【請求項３】
円柱状の操作ツマミとロータリー型エンコーダの回転を同期させる軸の両先端に回転自在に支持し、かつ規定範囲内で軸の軸心方向と交差する方向に移動自在に支持可能な係合部を設けたことより、操作ツマミの押圧操作時に操作ツマミを押すポイントに関係なく容易に押圧型スイッチの押圧操作が可能となったことから、操作ツマミの左右幅を自由に設定可能とする自在スイッチ押し機構付きエンコーダ装置。
【発明の詳細な説明】
【技術分野】
【０００１】
本発明は、映像音響機器における自在スイッチ押し機構付きエンコーダ装置に関するものである。
【背景技術】
【０００２】
昨今のＡＶ業界ではセットの小型化が進み、また圧縮技術を利用したデータ記録が主流となり、データの検索（曲検索）を簡易化する小型の検索装置がセットに求められる。
【０００３】
従来のセット側に組み込まれている検索装置（スイッチ押し機構付きエンコーダ装置）は、データを検索するため円柱状の操作ツマミ１を回転操作してロータリー型エンコーダ２を操作し、検索したデータを選択するため操作ツマミ１を押圧操作して軸３を介して押圧型スイッチ４を押圧操作する構造になっている。また、押圧操作の操作力の差を小さく抑えるため、操作ツマミ１をこの操作ツマミの長さ方向の中央付近で軸３に連結し、操作ツマミ１の両端のうちロータリー型エンコーダ２側の端部は少なくとも軸３との間に隙間５を形成して片持ち支持ツマミの構造としている。更に軸３のロータリー型エンコーダ側は先端に軸先端係合部６を設け、この部分を支点として軸３は首振り回動を行う（例えば、特許文献１参照。）。
【０００４】
しかし、実際操作ツマミの押圧操作を行う場合、常に操作ツマミのセンター付近を押すとは限らず端側を押す場合もあり、片持ち支持ツマミの構造であっても操作ツマミを押す位置により操作力に差が生じ、特にロータリー型エンコーダ側は操作力が強く操作しにくい。
【０００５】
この改善策として、軸８の両端に軸先端係合部６を設け、操作ツマミ７と軸８の関係、ロータリー型エンコーダ２と軸８の関係を同じにし、軸先端係合部６を支点とした軸８の首振り回動を可能とすることによって、自由に操作ツマミ７の押圧操作が可能となる。
【０００６】
また、従来のスイッチ押し機構付きエンコーダ装置は片持ち支持ツマミ構造になっているため、押圧操作の操作力を弱くし操作性を向上させるためには操作ツマミ１の幅とロータリー型エンコーダ２と押圧型スイッチ４の距離をできるだけ確保する必要がある。そのため、操作ツマミ１の幅と軸３の長さはある程度必要となる（例えば、特許文献１参照。）。
【０００７】
今回の自在スイッチ押し機構付きエンコーダ装置は、軸８の両先端を軸先端係合部６とし自由に操作ツマミ７の押圧操作が可能になっているため、軸８の長さを自由に設定可能となり、それに合わせて操作ツマミ７の幅も自由に設定可能である。以上よりセットの小型化が進む中、構造的にデザインの制約を抑えることができる。
【特許文献１】特開２００１−２４３８５２号公報
【発明の開示】
【発明が解決しようとする課題】
【０００８】
解決しようとする問題点は、操作ツマミのスイッチ押し操作において押すポイントによってスイッチ押しが入りにくい点、またスイッチ押しの操作性を容易にするため操作ツマミの左右幅をある程度確保する必要がある点である。
【課題を解決するための手段】
【０００９】
本発明は、操作ツマミのスイッチ押し操作がどのポイントを押しても容易に可能とするため、操作ツマミとエンコーダの回転を同期させる軸の両先端に軸先端係合部を設けることを最も主要な特徴とする。また、操作ツマミの回転操作時、無意識にスイッチ押し操作が入ることを防ぐため、サポートバネを組み込むことを特徴とする。
【発明の効果】
【００１０】
本発明の自在スイッチ押し機構付きエンコーダは、操作ツマミとエンコーダの回転を同期させる軸の両先端に軸先端係合部を設けることで、１）操作ツマミのどのポイントを押してもスイッチ押しが容易に入る２）スイッチ押しの操作性に関係なく操作ツマミの左右幅は自由に設定可能という利点がある。
【発明を実施するための最良の形態】
【００１１】
操作ツマミのスイッチ押し操作を操作ツマミのどのポイントでも容易にするという目的を、最小の部品点数で、回転操作の操作性を損なわずに実現した。
【００１２】
（実施の形態１）
図８は、従来のスイッチ押し機構付きエンコーダ装置の断面図であって、１は操作ツマミ、２はロータリー型エンコーダ、３は軸、４は押圧型スイッチ、５は隙間、６は軸先端係合部である。
【００１３】
円柱状の操作ツマミ１を回転操作してロータリー型エンコーダ２を操作し、また操作ツマミ１を押圧操作して軸３を介して押圧型スイッチ４を押圧操作する構造になっている。また、押圧操作の操作力の差を小さく抑えるため、操作ツマミ１をこの操作ツマミの長さ方向の中央付近で軸３に連結し、操作ツマミ１の両端のうちロータリー型エンコーダ２側の端部は少なくとも軸３との間に隙間５を形成して片持ち支持ツマミの構造としている。更に軸３のロータリー型エンコーダ側は先端に軸先端係合部６を設け、この部分を支点として軸３は首振り回動を行う。
【００１４】
（実施の形態２）
図１は、本発明装置の外観図であって、７は操作ツマミ、８は軸、９はツマミ受け、
１０はツマミユニット受け、１１はサポートバネである。
【００１５】
ツマミ受け９は操作ツマミ７の回転を保持させることとサポートバネ１１を固定することを目的とし、３点が組み合わさった状態をツマミユニットとする。ツマミユニット受け１０は操作ツマミ７の押圧操作及び回転操作時にツマミユニットを保持することとロータリー型エンコーダ２を位置決めすることを目的とする。軸８は操作ツマミ７とロータリー型エンコーダ２の回転を同期させることを目的とし、ツマミユニットに軸８を組み込んだ後ツマミユニットと共にツマミユニット受け１０に組み込む。また、押圧スイッチ４は操作ツマミ７の左右幅に対してセンターに配置する。
【００１６】
（実施の形態３）
図２は、操作ツマミ７、軸８、ロータリー型エンコーダ２の関係を示す断面図である。
軸８の両端には軸先端係合部６を設け、ロータリー型エンコーダ２側と操作ツマミ７側を支点として軸８が首振り回動を行うことで自由にツマミユニットが動き、また図１に示したように押圧型スイッチ４を操作ツマミ７の左右幅に対してセンターに配置しているため操作力Ｆ、Ｆａ、Ｆｂに差がなく操作ツマミ７の押圧操作が可能となる。そのため、ロータリー型エンコーダ側の押圧操作力が大きくなる従来装置と違い、操作ツマミの左右幅を自由に設定可能となる。
【００１７】
（実施の形態４）
図３は、軸８の斜視図である。軸の両先端にある軸先端係合部６は輪切り方向の断面が六角形状で縦方向断面は円形状に形成されている。
【００１８】
（実施の形態５）
図４は、軸８の軸先端係合部６とロータリー型エンコーダ２の関係を示す図である。
ロータリー型エンコーダ２の孔２ａは六角柱状の孔構造に形成されており、この部分に軸先端係合部６が挿入されて軸８が軸先端係合部６を支点にして首振り回動が可能になる。
【００１９】
（実施の形態６）
図５は、軸８の軸先端係合部６と操作ツマミ７の関係を示す図である。操作ツマミの孔７ａは、ロータリー型エンコーダ２の孔２ａと同様に六角柱状の孔構造に形成されており、この部分に軸先端係合部６が挿入されて軸８が軸先端係合部６を支点にして首振り回動が可能になる。
【００２０】
（実施の形態７）
図６は、ツマミ受け９、ツマミユニット受け１０、サポートバネ１１の関係を示す断面図である。操作ツマミ７の回転操作時、無意識に押圧操作が入ってしまうことを防ぐため押圧操作に対して反力Ｐを有するサポートバネ１１をツマミ受け９に取り付ける。操作ツマミ７の押圧操作時は、押圧型スイッチ４とサポートバネ１１の反力を合わせた力と同等以上の押圧力が必要となる。
【００２１】
（実施の形態８）
図７は、本発明装置の右側面図である。ツマミ受け９の両側に支軸９ａを設け、ツマミユニット受け１０に設けた支持孔１０ａに支軸９ａを挿入し、操作ツマミ７の押圧操作時にこの支軸９ａを支点にツマミユニットは回転運動を行い、押圧型スイッチ４を操作する。ツマミユニットの回転運動は、実施の形態５及び６で説明した構造を有するために可能となっている。また、ツマミ受け９の両側に受け軸９ｂを設け、ツマミユニット受け１０に設けたストッパー孔１０ｂに受け軸９ｂを挿入し、ユマミユニットの浮き方向の回転ストッパーとすることでサポートバネ１１の反力によるツマミユニットの浮き上がりを防止する。
【産業上の利用可能性】
【００２２】
本発明の自在スイッチ押し機構付きエンコーダ装置は、オーディオ機器だけでなく、小型化の進むＤＶＤレコーダー等の録画機の編集操作にも活用できる。
【図面の簡単な説明】
【００２３】
【図１】本発明装置の外観図
【図２】操作ツマミと軸とロータリー型エンコーダとの関係を示す断面図
【図３】軸の斜視図
【図４】軸先端係合部とロータリー型エンコーダの関係図
【図５】軸先端係合部と操作ツマミの関係図
【図６】ツマミ受けとツマミユニット受けとサポートバネの関係を示す断面図
【図７】本発明装置の右側面図
【図８】従来のスイッチ押し機構付きエンコーダ装置の断面図
【符号の説明】
【００２４】
１    従来装置の操作ツマミ
２    ロータリー型エンコーダ
２ａ    孔
３    従来装置の軸
４    押圧型スイッチ
５    隙間
６    軸先端係合部
７    操作ツマミ
８    軸
９    ツマミ受け
９ａ    支軸
９ｂ    受け軸
１０    ツマミユニット受け
１０ａ    支持孔
１０ｂ    ストッパー孔
１１    サポートバネ
【図１】
2005268157.tif 000003
【図２】
2005268157.tif 000004
【図３】
2005268157.tif 000005
【図４】
2005268157.tif 000006
【図５】
2005268157.tif 000007
【図６】
2005268157.tif 000008
【図７】
2005268157.tif 000009
【図８】
2005268157.tif 000010